(57)【特許請求の範囲】
【請求項１】
半導体電力変換装置の筐体上部に形成された開口部に取付板を介して遠心型排気ファンを支持し、
該遠心型排気ファンは、上部にファン取付板を固定した排気ファン本体と、該排気ファン本体の吸い込み口内に先端が挿入されるインレットノズルとで構成され、
前記取付板は、前記排気ファン本体のファン取付板の相対向する一対の案内部を水平方向に案内する一対の案内支持側板と、少なくとも一方が脱着可能とされた一対の側板とで構成され、且つ上面板を上部に形成するとともに、前記案内支持側板および前記側板の少なくとも１つには通気孔を有し、下部に前記インレットノズルを固定支持するインレットノズル取付板を上下方向に昇降可能に支持した
ことを特徴とする半導体電力変換装置の排気ファン支持構造。
【請求項２】
前記取付板は、前記インレットノズルの先端を前記排気ファン本体の吸い込み口内に挿入した固定位置と、該固定位置から前記インレットノズルの先端が前記排気ファン本体の吸い込み口より下降した排気ファン脱着位置との間で前記インレットノズル取付板昇降可能に支持するノズル支持部材を備えていることを特徴とする請求項１に記載の半導体電力変換装置の排気ファン支持構造。
【請求項３】
前記ノズル支持部材は、前記インレットノズル取付板に固定されたナットと、前記取付板の外周側に挿通されて前記ナットに螺合する位置調整ボルトとを少なくとも備えていることを特徴とする請求項２に記載の半導体電力変換装置の排気ファン支持構造。
【請求項４】
前記ノズル支持部材は、前記位置調整ボルトの先端に螺合されて前記位置調整ボルトの脱落を防止する脱落防止ナットをさらに備えていることを特徴とする請求項３に記載の半導体電力変換装置の排気ファン支持構造。
【請求項５】
前記ノズル支持部材は、前記位置調整ボルトの頭部と前記取付板との間に介挿されたスプリングワッシャをさらに備えていることを特徴とする請求項３又は４に記載の半導体電力変換装置の排気ファン支持構造。
【請求項６】
前記インレットノズル取付板は、下面に突出して前記インレットノズルを収容するノズル収容部を備えていることを特徴とする請求項１乃至５の何れか１項に記載の半導体電力変換装置の排気ファン支持構造。
【請求項７】
前記ファン取付板の一対の案内部は、下面を開放した断面逆凹状の案内溝で構成されていることを特徴とする請求項１乃至５の何れか１項に記載の半導体電力変換装置の排気ファン支持構造。
【請求項８】
前記ファン取付板は、前記案内溝を形成する外側面に、クレーンフックを係止するフック係止部が形成されていることを特徴とする請求項６に記載の半導体電力変換装置の排気ファン支持構造。
【請求項９】
前記囲い部は、前面板が着脱可能に構成されていることを特徴とする請求項１乃至８の何れか１項に記載の半導体電力変換装置の排気ファン支持構造。
【発明の詳細な説明】
【技術分野】
【０００１】
本発明は、半導体電力変換装置の筐体内の熱気を外部に排気する排気ファンを支持するようにした半導体電力変換装置の排気ファン支持構造に関する。
【背景技術】
【０００２】
この種の半導体電力変換装置の排気ファン支持構造としては、例えば特許文献１に記載されたものが知られている。この半導体電力変換装置では発熱部品としての絶縁ゲートバイポーラトランジスタ（ＩＧＢＴ）を内蔵するスイッチングモジュール、整流器モジュール、電解コンデンサ等を筐体に内蔵している。この半導体電力変換装置では、筐体上部に配置した排気ファンから上方に排気することにより、下部から取り入れた冷風によって、スイッチングモジュール、整流器モジュール及び電解コンデンサ等を冷却するようにしている。
【０００３】
この特許文献１に記載の従来例では、排気ファンによって、筐体内の熱気を上方に排気するようにしているので、半導体電力変換装置を配置する収納空間は、半導体電力変換装置の上部側に広い排気用空間を必要とする。
しかしながら、半導体電力変換装置の上部空間に広い排気用空間が取れない場合には、排気ファンとして遠心方向に排気する遠心型排気ファンを適用している。
【０００４】
この遠心型排気ファンを装着した半導体電力変換装置としては、例えば図７〜図９に記載した構成のものが従来知られている。
この従来例では、図７に示すように、例えば下部に電解コンデンサを収納し、上部にスイッチングモジュール、整流器モジュールを配置した筐体１００の上部に排気部１０１が配設されている。ここで、排気部１０１は図８及び図９に示すように、インレットノズル１０２をインレットノズル取付板１０３に配置し、このインレットノズル取付板１０３の上面の外周側に前後左右の側面板１０４〜１０７を配置するとともに、これら側面板１０４〜１０７の内側に支柱１０８〜１１１を配置している。そして、支柱１０８〜１１１の上端に排気ファン本体１１２を支持する排気ファン取付板１１３を支持し、この排気ファン取付板１１３の上面を上面板１１４で覆うようにしている。
【先行技術文献】
【特許文献】
【０００５】
【特許文献１】特開２００４−１８０４２４号公報
【発明の概要】
【発明が解決しようとする課題】
【０００６】
ところで、図７〜図９に示す半導体電力変換装置の排気ファン支持構造では、遠心型排気ファンを適用している関係で、排気ファンからの排気は、遠心力によって水平方向に排気される。このため、排気部１０１の上部には排気のための空間を必要とすることはなく、上部空間に余裕がない収納空間でも半導体電力変換装置を配置することが可能となる。
しかしながら、上記従来例では、遠心型排気ファンを適用しているため、排気ファン本体の吸い込み口内にインレットノズルの先端を挿入した状態で固定されている。
【０００７】
このため、排気ファン本体を点検や交換する場合には、排気ファン本体を上方に引き抜くか、排気ファン本体を一旦上方に移動させて、排気ファン本体の吸い込み口とインレットノズルの先端とを分離させてから排気ファン本体を前方等に引き抜く必要があり、排気部の上方に所定のメンテナンス空間が必要とするという未解決の課題がある。
そこで、本発明は、上記従来例の未解決の課題に着目してなされたものであり、排気部の上方にメンテナンス空間を設けることなく排気ファン本体を水平方向に引き抜くことが可能な半導体電力変換装置の排気ファン支持構造を提供することを目的としている。
【課題を解決するための手段】
【０００８】
上記目的を達成するために、本発明に係る半導体電力変換装置の排気ファン支持構造の第１の態様は、半導体電力変換装置の筐体上部に形成された開口部に取付板を介して遠心型排気ファンを支持している。該遠心型排気ファンは、上部にファン取付板を固定した排気ファン本体と、該排気ファン本体の吸い込み口内に先端が挿入されるインレットノズルとで構成されている。そして、前記取付板は、前記排気ファン本体のファン取付板の相対向する一対の案内部を水平方向に案内する一対の案内支持側板と、少なくとも一方が脱着可能とされた一対の側板とで構成され、且つ上面板を上部に形成するとともに、前記案内支持側板および前記側板の少なくとも１つには通気孔を有し、下部に前記インレットノズルを固定支持するインレットノズル取付板を上下方向に昇降可能に支持している。
【０００９】
この第１の態様によると、上部に排気ファン本体を囲む囲い部を形成した取付板の下面側にインレットノズルを固定支持したインレットノズル取付板を昇降可能に支持している。このため、排気ファンの点検や修理時に、インレットノズル取付板を下降させることにより、インレットノズルの先端を排気ファン本体の吸い込み口から離脱させることが可能となる。この状態で、排気ファン本体を水平方向に引き抜くことができる。
【００１０】
また、本発明に係る半導体電力変換装置の排気ファン支持構造の第２の態様は、前記取付板は、前記インレットノズルの先端を前記排気ファン本体の吸い込み口内に挿入した装着位置と、該固定位置から前記インレットノズルの先端が前記排気ファン本体の吸い込み口より下降した排気ファン脱着位置との間で前記インレットノズル取付板を昇降可能に支持するノズル支持部材を備えている。
【００１１】
この第２の態様によると、取付板に設けたノズル支持部材によって、インレットノズルを支持するインレットノズル取付板を上下方向に昇降可能に支持するので、ノズル支持部材によって、インレットノズル取付板を装着位置から脱着位置に移動させることにより、インレットノズルが排気ファン本体の吸い込み口から下方に離脱して、排気ファン本体の水平方向の移動が可能となる。
【００１２】
また、本発明に係る半導体電力変換装置の排気ファン構造の第３の形態は、前記ノズル支持部材が、前記インレットノズル取付板に固定されたナットと、前記取付板の外周側に挿通されて前記ナットに螺合する位置調整ボルトとを少なくとも備えている。
この第３の形態によると、位置調整ボルトのナットとの螺合位置を調整することにより、インレットノズル取付板を装着位置と脱着位置との間で昇降させることができる。
【００１３】
また、本発明に係る半導体電力変換装置の排気ファン支持構造の第４の態様は、前記ノズル支持部材が、前記位置調整ボルトの先端に螺合されて前記位置調整ボルトの脱落を防止する脱落防止用ナットをさらに備えている。
この第４の態様によると、固定ボルトの先端に脱落防止用ナットが設けられているので、位置調整用ナットが固定ボルトから離脱して落下することを確実に防止することができる。
【００１４】
また、本発明に係る半導体電力変換装置の排気ファン支持構造の第５の態様は、前記ノズル支持部材は、前記位置調整ボルトの頭部と前記取付板との間に介挿されたスプリングワッシャをさらに備えている。
この第５の態様によると、位置調整ボルトの頭部と取付板との間にスプリングワッシャを介挿することにより、位置調整ナットの緩み止めを行うことができる。
【００１５】
また、本発明に係る半導体電力変換装置の排気ファン支持構造の第６の態様は、前記インレットノズル取付板は、下面に突出して前記インレットノズルを収容するノズル収容部を備えている。
この第６の態様によると、インレットノズルを低い位置に固定することができ、排気ファン全体の高さを低く抑えることができる。
【００１６】
また、本発明に係る半導体電力変換装置の排気ファン支持構造の第７の態様は、前記ファン取付板の一対の案内部が、下面を開放した断面逆凹状の案内溝で構成されている。
この第７の態様によると、ファン取付板の案内溝を一対の案内側板の上面に係合させるだけで、ファン取付板を水平方向に移動させることができる。
【００１７】
また、本発明に係る半導体電力変換装置の排気ファン支持構造の第８の態様は、前記ファン取付板が、前記案内溝を形成する外側面に、クレーンフックを係止するフック係止部を形成している。
この第８の態様によると、ファン取付板に直接クレーンフックを係止するフック係止部が形成されているので、ファン取付部の上面に別途フック係止部を形成することがなく、クレーンフックを係止してクレーンでファン取付部及び排気ファン本体を吊り上げることができる。
【００１８】
また、本発明に係る半導体電力変換装置の排気ファン支持構造の第９の態様は、前記囲い部が、前面板を着脱可能に構成している。
この第９の態様によると、前面板を取り外すことにより、ファン取付板及び排気ファン本体を前面側に引き出すことができ、メンテナンス性を向上させることができる。
【発明の効果】
【００１９】
本発明によれば、遠心型排気ファンを適用した場合に、筐体上部側にメンテナンス用空間を設けることなく、排気ファン本体の脱着作業を容易に行うことができるという効果が得られる。
【図面の簡単な説明】
【００２０】
【図１】本発明の一実施形態を示す全体構成図である。
【図２】排気部を示す図であって、（ａ）は正面図、（ｂ）は斜視図である。
【図３】排気部の分解斜視図である。
【図４】排気部のインレットノズル取付板を装着位置とした状態の要部を拡大して示す断面図である。
【図５】排気部のインレットノズル取付板を脱着位置とした状態の要部を拡大して示す断面図である。
【図６】排気部のファン取付板を取り外した状態を示す斜視図である。
【図７】従来例を示す全体構成図である。
【図８】従来例の排気部を示す図であって、（ａ）は正面図、（ｂ）は斜視図である。
【図９】従来例の排気部を示す分解斜視図である。
【発明を実施するための形態】
【００２１】
以下、本発明の実施の形態を図面に基づいて説明する。
図１は本発明の一実施形態を示す全体構成図である。図中、１は半導体電力変換装置であって、この半導体電力変換装置１は、例えば電解コンデンサを内蔵する下部筐体２と、絶縁ゲートバイポーラトランジスタ（ＩＧＢＴ）を含むスイッチングモジュール、整流器モジュール等を内蔵する上部筐体３とを備えている。
下部筐体２及び上部筐体３は、内部で連通されており、下部筐体３には正面の開閉扉４に上下方向の略全域に通気孔５が形成されている。上部筐体３には、正面の開閉扉６の上方側に通気孔７が形成されているとともに、上部に形成された開口部８に排気部９が配置されている。
【００２２】
排気部９は、図２〜図４に示すように、正方形断面を有する直方体形状に形成されている。この排気部９は、図３で特に明らかなように、上部筐体３の開口部８に取付けられる取付板１１と、この取付板１１の上部外周部に取付けられた囲い部１２と、取付板１１の下面に昇降可能に支持されたインレットノズル１３を取り付けたインレットノズル取付板１４と、囲い部１２の上面に支持される遠心型の排気ファン本体１５を装着したファン取付板１６と、上面を閉塞する上面板１７とで構成されている。
【００２３】
取付板１１は、図３及び図４に示すように、中央部にインレットノズル１３を挿通する開口部２１が形成された方形の水平板部２２と、この水平板部２２の各外周辺から上方に折曲げられた折曲板部２３とで構成されている。そして、水平板部２２における折曲板部２３の内側における四隅位置に図４に示すようにボルト挿通孔２４が形成されている。
【００２４】
囲い部１２は、取付板１１の水平板部２２の上面における左右位置に固定された一対の案内支持側板３１及び３２と、これら案内支持側板３１及び３２の後端面を連結して取付板１１の上面における背面位置に固定された背面側板３３と、案内支持側板３１及び３２の前端面を連結して取付板１１の上面における正面位置に着脱自在に取付けられた正面側板３４とで構成されている。各側板３１〜３４には、排気を外部に放出する例えば格子状の通気孔３５が形成されている。また、左右の案内支持側板３１及び３２については平坦な長方形の板部３６の４辺を内側に折曲げた折曲部３７が形成されて剛性が高められている。前後の背面側板３３及び正面側板３４については平板で構成されている。
【００２５】
インレットノズル取付板１４は、図３及び図４に示すように、取付板１１の水平板部２２における開口部２１の外周側に接触可能な水平板部４１と、この水平板部４１の外周縁より内側に下方に突出して形成された凹部でなるインレットノズル収納部４２とを備えている。水平板部４１には、取付板１１の水平板部２２形成したボルト挿通孔２４に対向する位置にボルト挿通孔４３が形成されている。また、インレットノズル収納部４２には、上部筐体３側に開口するインレットノズル１３が取付けられており、このインレットノズル１３の先端が水平板部４１より上方に突出されている。
【００２６】
ファン取付板１６は、図３及び図４に示すように、前述した左右の案内支持側板３１及び３２の内周面に接する水平板部５１と、この水平板部５１の左右端に折り曲げ形成した逆凹状の案内溝５２，５３とを備えている。水平板部５１の前後端面には下方に折り曲げた折曲部５４が形成されている。また、水平板部５１の下面側には下端に吸い込み口１５ａを有し、吸い込み口１５ａから吸い込んだ排気を円筒外周面から排気する遠心型の排気ファンの排気ファン本体１５が取付けられている。そして、図４に示すように、排気ファン本体１５の下面に形成された吸い込み口１５ａの内周面にインレットノズル１３の先端が挿入されることにより遠心型の排気ファン１８が構成されている。
【００２７】
なお、排気ファン本体１５の左右側面は、図４に示すように、下端から上方に行くに従い幅狭となるようにテーパー面に形成することが好ましい。このように、排気ファン本体１５の左右側面をテーパー面とすることにより、排気ファン本体１５を摺動させる際に左右の案内支持板３１及び３２との間の摺動抵抗を減らすことができ、排気ファン本体１５の抜き出し及び装着を容易に行うことができる。
ただし、排気ファン本体１５の左右側面は、テーパー面以外の面形状として形成されていてもよい。
【００２８】
また、図４に示すように、排気ファン本体１５の下面側に左右の案内支持板３１及び３２の折曲部３７に形成した切欠部３８に係合する案内突条３９を形成することが好ましい。このように、排気ファン本体１５の下面側に案内突条３９を形成することにより、この案内突条３９とファン取付板１６の案内溝５２及び５３とで排気ファン本体１５の取付位置を正確に規制することができる。したがって、排気ファン本体１５の吸い込み口１５ａへのインレットノズル１３の先端の挿通量を高精度で調整することができる。
【００２９】
また、案内溝５２及び５３を形成する外側板部５５及び５６には図３に示すように、図示しないクレーンフックを係止するフック係止部５７が前後端部側に２箇所ずつ形成されている。
そして、取付板１１のボルト挿通孔２４にノズル支持部材６０が固定されている。このノズル支持部材６０は、図４の拡大図で特に明らかなように、取付板１１のボルト挿通孔２４の上面側からボルト挿通孔２４とインレットノズル取付板１４のボルト挿通孔４３とに挿通される位置調整ボルト６１を有する。また、ノズル支持部材６０は、位置調整ボルト６１の頭部６１ａと取付板１１の上面との間に介挿されたスプリングワッシャ６２及びワッシャ６３を有する。さらに、ノズル支持部材６０は、位置調整ボルト６１にインレットノズル取付板１４の下面側で螺合し、ボルト挿通孔４３の下面側に溶接等の固着手段によって固定されたナット６４と、このナット６４より下側で位置調整ボルト６１に螺合する２つの止めナットで構成される脱落防止ナット６５とを有する。
【００３０】
ここで、脱落防止ナット６５の位置調整ボルト６１に対する螺合位置は、位置調整ボルト６１を上方に移動するように回動（右ねじ系であるときには反時計方向に回動）させて、少なくともナット６４の底面に脱落防止ナット６５の上面が接触した位置で、インレットノズル取付板１４がインレットノズル１３の先端がファン本体１５の吸い込み口１５ａより下方に離脱する脱着位置となるように設定されている。
【００３１】
また、位置調整ボルト６１を上記とは逆に下方に移動するように回動（右ねじ系であるときには時計方向に回動）させて、インレットノズル取付板１４の上面を取付板１１の下面に接触させる締め付け位置としたときに、インレットノズル取付板１４がインレットノズル１３の先端がファン本体１５の吸い込み口１５ａ内に挿入される装着位置となるように設定されている。
【００３２】
次に、上記実施形態の動作について説明する。
今、図１に示すように、排気部９が上部筐体３の開口部８位置に取付けられているものとする。この状態で、図４に示すように、ノズル支持部材６０のナット６４に螺合する位置調整ボルト６１を締め付ける。これにより、位置調整ボルト６１の頭部６１ａとナット６４とで、インレットノズル取付板１４の水平板部４１の上面が取付板１１の水平板部２２の下面に接触してインレットノズル取付板１４が装着位置で固定される。
【００３３】
このとき、図４に示すように、インレットノズル取付板１４に取付けられたインレットノズル１３の先端が囲い部１２の左右の案内支持側板３１及び３２に支持されているファン取付板１６の水平板部５１の下面に取付けられた排気ファン本体１５の吸い込み口１５ａ内に挿通されており、遠心型ファンが構成されている。
この状態で、排気ファン本体１５内のファン（図示せず）を回転駆動することにより、上部筐体３内の熱気がインレットノズル１３を通じて排気ファン本体１５内に吸引されてから円周方向に吹き出され、囲い部１２の通気孔３５を通じて外部に放出される。
【００３４】
このとき、下部筐体２及び上部筐体３が負圧となることから、下部筐体２では、通気孔５を通じて冷風が吸い込まれ、上部筐体３では通気孔７を通じて冷風が吸い込まれる。吸い込まれた冷風はそれぞれ電解コンデンサを冷却し、さらにスイッチングモジュール及び整流器モジュールを冷却してから上部筐体３の上面に形成された開口部８を通じてインレットノズル１３を介して排気ファン本体１５内に吸引される。
このため、発熱する電解コンデンサ、スイッチングモジュール及び整流器モジュールを冷風によって効率よく冷却することができる。この状態では、排気部９から排出される排気が囲い部１２を通じて水平方向に放出されるので、排気部９の上方側に排気用スペースを設ける必要がない。
【００３５】
この電力変換装置１の運転状態から遠心型ファンのメンテナンスや交換を行う場合には、先ず、少なくとも正面側板３４を取り外す。次いで、又はその前に、取付板１１の水平板部２２の外周辺の折曲板部２３の内側に配置された位置調整ボルト６１を緩める。これに応じて、位置調整ボルト６１の頭部６１ａとナット６４との距離が広がることにより、インレットノズル取付板１４が取付板１１に対して下降し、インレットノズル１３も下降する。そして、図５に示すように、ナット６４の底面が脱落防止ナット６５の上面に接触する状態となると、インレットノズル取付板１４が脱着位置となって、インレットノズル１３の先端が排気ファン本体１５の吸い込み口１５ａから下方に離脱する。したがって、水平方向から見てインレットノズル１３の先端と排気ファン本体１５の吸い込み口とが互いに干渉しない位置となる。
【００３６】
この状態で、ファン取付板１１を、図６に示すように、案内溝３２及び３３をそれぞれ左右の案内支持側板３１及び３２の上面に係合させながら前方に引き抜くことができる。これによって、排気ファン本体１５のメンテナンスや交換を行うことができる。この場合も、遠心型排気ファンを構成するインレットノズル１３と排気ファン本体１５とを分離するために、排気部９の上方にメンテナンス空間を設ける必要がない。
【００３７】
しかも、ファン取付板１１を案内溝３２及び３３内に案内支持側板３１及び３２を係合させた状態で摺動させることにより、ファン取付板１１を容易に外部に引き出すことができる。したがって、ファン本体のメンテナンス作業や交換作業を短時間で容易に行うことができる。
また、ファン取付板１１が水平板部５１と、この水平板部５１の左右端部に折り曲げ形成した案内溝５２及び５３と、水平板部５１の前後端部に形成した下方への折曲部５４とを有するので、ファン取付板１１の剛性を確保することができ、板材の厚みを薄くすることができる。
【００３８】
また、案内溝５２及び５３を形成する左右の側板部５５及び５６にクレーンフックを係止するフック係止部５７が形成されているので、このフック係止部５７にクレーンフックを直接係止することができ、別途クレーンフックを係止するための係止部材を用いることなくファン取付板１１及びファン本体５１を吊り上げることができる。
【００３９】
因に、図７〜図９に示す従来例では、クレーンフックを係止するフック係止部を形成することができなかった。そのため、例えば上面板１１４に雌ねじを形成して、この雌ねじに別部材のフック係止部を螺合させて装着してからフック係止部にクレーンフックを係止させて吊り上げる必要があった。したがって、ファン取付板及びファン本体の移動が完了したときに、フック係止部をそのままにするとフック係止部の高さ分さらに上部空間が必要となるので、フック係止部を取り外す必要が生じる。
しかしながら、上記実施形態では、フック係止部５７がファン取付板１１に一体に形成され、しかもフック係止部５７が上方に突出することはないので、上記従来例の不都合を生じることがない。
【００４０】
また、本実施形態では、インレットノズル取付板１４を装着位置と脱着位置との間で昇降させるための構成が、位置調整ボルト６１とこの位置調整ボルト６１に螺合し、ノズル取付板１４の水平板部４１におけるボルト挿通孔４３の下面側に固定されたナット６４とを有するノズル支持部材６０を設けるだけの簡易な構成で済み、インレットノズル取付板１４を装着位置と脱着位置とに達したか否かは、位置調整ボルト６１が回動できなくなることによって判断することができる。このため、手元が暗い状態でも装着位置及び脱着位置への装着を確実に検知することができる。
【００４１】
また、ノズル支持部材６０に位置調整ボルト６１の下端に螺合する落下防止ナット６５を設けているので、ナット６４が固定ボルト６１から離脱してノズル取付板１４が下方に落下することを確実に防止することができ、インレットノズル取付板１４の昇降を、気を使うことなく円滑に行うことができる。
また、ノズル支持部材６０に固定ボルト６１の頭部６１ａと取付板１１との間にスプリングワッシャ６２を装着しているので、位置調整ナット６４の緩みを防止することができる。
【００４２】
なお、上記実施形態では、ノズル支持部材６０を構成する位置調整ボルト６１を取付板１１の上側から挿通する場合について説明したが、これに限定されるものではなく、位置調整ボルト６１、ナット６４及び落下防止ナットを上下逆関係として、位置調整ボルト６１をインレットノズル取付板１４の水平板部４１に固定することもできる。この場合には、取付板１１の水平板部２２の上面側に位置調整ボルト６１に螺合するナット６４が配置されるので、このナット６４を回動させることにより、インレットノズル取付板１４の昇降を行うことができる。さらに、上記実施形態ではナット６４をインレットノズル取付板１４に固定する場合について説明したが、これに限定されるものではなく、ナット６４をインレットノズル取付板１４に対して回動可能とし、例えば上部筐体３内からナット６４を回動させてインレットノズル取付板１４を昇降させるようにしてもよい。
【００４３】
また、上記実施形態においては、ノズル支持部材６０に落下防止ナット６５を設けた場合について説明したが、落下防止ナット６５を省略して位置調整ボルト６１をナット６４に螺合させてから固定ボルト６１の下端を加締めたり、落下防止具を溶接したりするようにしてもよい。また、スプリングワッシャ６２は位置調整ナット６４とインレットノズル取付板１４との間に介挿するようにしてもよい。
【００４４】
また、上記実施形態においては、ノズル支持部材６０を位置調整ボルト６１及びナット６４で構成した場合について説明したが、これに限定されるものではなく、取付板１１の水平板部２２又はインレットノズル取付板１４の水平板部４１に螺旋状の傾斜面を形成し、この螺旋状の傾斜面に係合する係合面を備えた回動軸を取付板１１の水平板部２２の上面側から回動できるように配置するようにしてもよい。この場合には、この回動軸を回動させることにより、係合面の螺旋状の傾斜面との係合位置が上下方向に変化することにより、ノズル取付板１４を昇降させることができる。回動軸を例えば取付板１１の水平板部２２とインレットノズル取付板１４の水平板部４１とが接触する状態でロックするロック手段を設けることが好ましい。このロック手段としては、例えば回動軸に形成した半径方向に突出する係合片とこれに係合する着脱可能な係合ピンとで構成することができる。また、取付板１１の水平板部２２の水平板部４１の上面に、水平方向に延長するテーパー面を形成し、このテーパー面に係合する係合ローラをテーパー面に沿って水平方向に移動可能に配置し、この係合ローラをインレットノズル取付板に連結するようにしてもよい。この場合も係合ローラを例えば取付板１１の水平板部２２とインレットノズル取付板１４の水平板部４１とが接触する状態でロックするロック手段を設けることが好ましい。このロック手段の一例としては、テーパー面の最上部に係合ローラを係止する係止凹部を形成ことが考えられる。
【００４５】
また、上記実施形態においてはファン取付板１６に案内溝５２及び５３を形成した場合について説明した。しかしながら、本発明は上記構成に限定されるものではなく、ファン取付板１６の左右両端側に下方に延長する突条を形成し、左右の案内支持側板３１及び３２の上端に案内溝を形成するようにしてもよい。
【符号の説明】
【００４６】
１…半導体電力変換装置、２…下部筐体、３…上部筐体、９…排気部、１１…取付板、１２…囲い部、１３…インレットノズル、１４…インレットノズル取付板、１５…ファン本体、１６…ファン取付板、２１…開口部、２２……板部、２３…折曲部、２４…ボルト挿通孔、３１，３２…案内支持側板、３３…背面側板、３４…正面側板、４１…水平板部、４２…インレットノズル収納部、４３…ボルト挿通孔、５１…水平板部、５２，５３…案内溝、５４…折曲部、５５，５６…側板部、５７…フック係止部、６０…ノズル支持部材、６１…位置調整ボルト、６２…スプリングワッシャ、６３…ワッシャ、６４…ナット、６５…脱落防止ナット
【図１】
0005861509.tif 000002
【図２】
0005861509.tif 000003
【図３】
0005861509.tif 000004
【図４】
0005861509.tif 000005
【図５】
0005861509.tif 000006
【図６】
0005861509.tif 000007
【図７】
0005861509.tif 000008
【図８】
0005861509.tif 000009
【図９】
0005861509.tif 000010